【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
マスキング信号を生成するための電子デバイスであって、
複数のマイクロフォンと、
スピーカーと、
プロセッサと、
前記プロセッサと電子通信しているメモリと、
前記メモリに記憶された複数の命令と
を備え、前記複数の命令が、
前記複数のマイクロフォンから複数のオーディオ信号を取得することと、
前記複数のオーディオ信号から環境信号を取得することと、
前記環境信号に基づいて環境特徴を判断することと、
前記複数のオーディオ信号からボイス信号を取得することと、
前記ボイス信号に基づいてボイス特徴を判断することであって、前記ボイス特徴がラウドネスエンベロープを備える、判断することと、
音信号を取得することと、
前記ボイス特徴と前記環境特徴と前記音信号とに基づいてマスキング信号を生成することであって、前記マスキング信号を生成することが前記環境特徴および前記ボイス特徴に基づいて前記音信号を調整することを備える、生成することと、
前記スピーカーを使用して前記マスキング信号を出力することであって、前記マスキング信号が音響ボイス信号を不明瞭にする、出力することと
を行うように実行可能である、電子デバイス。
【請求項２】
前記音信号が音楽を備える、請求項1に記載の電子デバイス。
【請求項３】
前記音信号を調整することが、前記ボイス信号に基づいてエンベロープ信号と直接関係にある前記音信号の前記振幅を調節することを備える、請求項1に記載の電子デバイス。
【請求項４】
前記音信号を調整することが、前記環境信号に基づいて振幅と逆関係にある前記音信号の前記振幅を調節することをさらに備える、請求項３に記載の電子デバイス。
【請求項５】
前記音信号が入力に基づいて選択される、請求項1に記載の電子デバイス。
【請求項６】
前記ボイス特徴が、振幅特性と、スペクトル特性と、空間特性と、時間特性とからなるグループから選択された１つを備える、請求項１に記載の電子デバイス。
【請求項７】
マスキングレベルが少なくとも１つのランプタイムに基づいて制御される、請求項１に記載の電子デバイス。
【請求項８】
前記環境特徴が、振幅特性と、スペクトル特性と、空間特性と、時間特性とからなるグループから選択された１つを備える、請求項１に記載の電子デバイス。
【請求項９】
前記環境特徴がラウドネス特性を備える、請求項１に記載の電子デバイス。
【請求項１０】
前記ボイス信号を取得することが、前記複数のオーディオ信号から前記環境信号を除去することを備える、請求項１に記載の電子デバイス。
【請求項１１】
前記ボイス信号を取得することが、エコーキャンセラを使用して前記複数のオーディオ信号から１つまたは複数のエコー信号を除去することを備える、請求項１に記載の電子デバイス。
【請求項１２】
前記複数の命令が、前記ボイス信号を送信するようにさらに実行可能である、請求項１に記載の電子デバイス。
【請求項１３】
前記マスキング信号を生成することが、前記ボイス特徴に基づいて前記ボイス信号を変調する振幅を備える、請求項１に記載の電子デバイス。
【請求項１４】
前記電子デバイスがワイヤレス通信デバイスである、請求項１に記載の電子デバイス。
【請求項１５】
複数のスピーカーをさらに備える、請求項１に記載の電子デバイス。
【請求項１６】
電子デバイス上でマスキング信号を生成するための方法であって、
複数のマイクロフォンから複数のオーディオ信号を取得することと、
前記複数のオーディオ信号から環境信号を取得することと、
前記環境信号に基づいて環境特徴を判断することと、
前記複数のオーディオ信号からボイス信号を取得することと、
前記ボイス信号に基づいてボイス特徴を判断することであって、前記ボイス特徴がラウドネスエンベロープを備える、判断することと、
音信号を取得することと、
前記ボイス特徴と前記環境特徴と前記音信号とに基づいてマスキング信号を生成することであって、前記マスキング信号を生成することが前記環境特徴および前記ボイス特徴に基づいて前記音信号を調整することを備える、生成することと、
スピーカーを使用して前記マスキング信号を出力することであって、前記マスキング信号が音響ボイス信号を不明瞭にする、出力することと
を備える、方法。
【請求項１７】
前記音信号が音楽を備える、請求項１６に記載の方法。
【請求項１８】
前記音信号を調整することが、前記ボイス信号に基づいてエンベロープ信号と直接関係にある前記音信号の前記振幅を調節することを備える、請求項１６に記載の方法。
【請求項１９】
前記音信号を調整することが、前記環境信号に基づいて振幅と逆関係にある前記音信号の前記振幅を調節することをさらに備える、請求項１８に記載の方法。
【請求項２０】
前記音信号が入力に基づいて選択される、請求項１６に記載の方法。
【請求項２１】
前記ボイス特徴が、振幅特性と、スペクトル特性と、空間特性と、時間特性とからなるグループから選択された１つを備える、請求項１６に記載の方法。
【請求項２２】
マスキングレベルが少なくとも１つのランプタイムに基づいて制御される、請求項１６に記載の方法。
【請求項２３】
前記環境特徴が、振幅特性と、スペクトル特性と、空間特性と、時間特性とからなるグループから選択された１つを備える、請求項１６に記載の方法。
【請求項２４】
前記環境特徴がラウドネス特性を備える、請求項１６に記載の方法。
【請求項２５】
前記ボイス信号を取得することが、前記複数のオーディオ信号から前記環境信号を除去することを備える、請求項１６に記載の方法。
【請求項２６】
前記ボイス信号を取得することが、エコーキャンセラを使用して前記複数のオーディオ信号から１つまたは複数のエコー信号を除去することを備える、請求項１６に記載の方法。
【請求項２７】
前記複数の命令が、前記ボイス信号を送信するようにさらに実行可能である、請求項１６に記載の方法。
【請求項２８】
前記マスキング信号を生成することが、前記ボイス特徴に基づいて前記ボイス信号を変調する振幅を備える、請求項１６に記載の方法。
【請求項２９】
前記電子デバイスがワイヤレス通信デバイスである、請求項１６に記載の方法。
【請求項３０】
前記電子デバイスが複数のスピーカーを備える、請求項１６に記載の方法。
【請求項３１】
複数の命令をその上に有する非一時的有形コンピュータ可読媒体を備える、マスキング信号を生成するためのコンピュータプログラム製品であって、前記複数の命令が、
複数のマイクロフォンから複数のオーディオ信号を取得することを電子デバイスにさせるためのコードと、
前記複数のオーディオ信号から環境信号を取得することを電子デバイスにさせるためのコードと、
前記環境信号に基づいて環境特徴を判断することを電子デバイスにさせるためのコードと、
前記複数のオーディオ信号からボイス信号を取得させるためのコードと、
前記ボイス信号に基づいてボイス特徴を判断することを電子デバイスにさせるためのコードであって、前記ボイス特徴がラウドネスエンベロープを備える、判断することを電子デバイスにさせるためのコードと、
音信号を取得することを前記電子デバイスにさせるためのコードと、
前記ボイス特徴と前記環境特徴と前記音信号とに基づいてマスキング信号を生成することを電子デバイスにさせるためのコードであって、前記マスキング信号を生成することが前記環境特徴および前記ボイス特徴に基づいて前記音信号を調整することを備える、生成することを電子デバイスにさせるためのコードと、
スピーカーを使用して前記マスキング信号を出力することを電子デバイスにさせるためのコードであって、前記マスキング信号が音響ボイス信号を不明瞭にする、出力することを電子デバイスにさせるためのコードと
を備える、コンピュータプログラム製品。
【請求項３２】
前記音信号を調整することが、前記ボイス信号に基づいてエンベロープ信号と直接関係にある前記音信号の前記振幅を調節することを備える、請求項３１に記載のコンピュータプログラム製品。
【請求項３３】
前記音信号を調整することが、前記環境信号に基づいて振幅と逆関係にある前記音信号の前記振幅を調節することをさらに備える、請求項３２に記載のコンピュータプログラム製品。
【請求項３４】
前記音信号が入力に基づいて選択される、請求項３１に記載のコンピュータプログラム製品。
【請求項３５】
前記ボイス信号を取得することが、エコーキャンセラを使用して前記複数のオーディオ信号から１つまたは複数のエコー信号を除去することを備える、請求項３１に記載のコンピュータプログラム製品。
【請求項３６】
マスキング信号を生成するための装置であって、
複数のマイクロフォンから複数のオーディオ信号を取得するための手段と、
前記複数のオーディオ信号から環境信号を取得するための手段と、
前記環境信号に基づいて環境特徴を判断するための手段と、
前記複数のオーディオ信号からボイス信号を取得するための手段と、
前記ボイス信号に基づいてボイス特徴を判断するための手段であって、前記ボイス特徴がラウドネスエンベロープを備える、判断するための手段と、
前記ボイス特徴と前記環境特徴と前記音信号とに基づいてマスキング信号を生成するための手段であって、前記マスキング信号を生成することが前記環境特徴および前記ボイス特徴に基づいて前記音信号を調整することを備える、生成するための手段と、
スピーカーを使用して前記マスキング信号を出力するための手段であって、前記マスキング信号が音響ボイス信号を不明瞭にする、出力するための手段と
を備える、装置。
【請求項３７】
前記音信号を調整することが、前記ボイス信号に基づいてエンベロープ信号と直接関係にある前記音信号の前記振幅を調節することを備える、請求項３６に記載の装置。
【請求項３８】
前記音信号を調整することが、前記環境信号に基づいて振幅と逆関係にある前記音信号の前記振幅を調節することをさらに備える、請求項３７に記載の装置。
【請求項３９】
前記音信号が入力に基づいて選択される、請求項３６に記載の装置。
【請求項４０】
前記ボイス信号を取得することが、エコーキャンセラを使用して前記複数のオーディオ信号から１つまたは複数のエコー信号を除去することを備える、請求項３６に記載の装置。
【手続補正２】
【補正対象書類名】明細書
【補正対象項目名】０１７２
【補正方法】変更
【補正の内容】
【０１７２】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に本件出願当初の特許請求の範囲に記載された発明を付記する。
[Ｃ１]
マスキング信号を生成するための電子デバイスであって、
複数のマイクロフォンと、
スピーカーと、
プロセッサと、
前記プロセッサと電子通信しているメモリと、
前記メモリに記憶された複数の命令と
を備える、電子デバイスであって、前記複数の命令が、
前記複数のマイクロフォンから複数のオーディオ信号を取得することと、
前記複数のオーディオ信号から環境信号を取得することと、
前記環境信号に基づいて環境特徴を判断することと、
前記複数のオーディオ信号からボイス信号を取得することと、
前記ボイス信号に基づいてボイス特徴を判断することと、
前記ボイス特徴と前記環境特徴とに基づいてマスキング信号を生成することと、
前記スピーカーを使用して前記マスキング信号を出力することと
を行うように実行可能である、電子デバイス。
[Ｃ２]
前記複数の命令が、音信号を取得するようにさらに実行可能である、Ｃ１に記載の電子デバイス。
[Ｃ３]
前記マスキング信号を生成することが前記音信号にさらに基づく、Ｃ２に記載の電子デバイス。
[Ｃ４]
前記音信号が音楽を備える、Ｃ２に記載の電子デバイス。
[Ｃ５]
前記マスキング信号を生成することが、前記ボイス信号に基づいてエンベロープ信号と直接関係にある前記音信号の前記振幅を調節することを備える、Ｃ２に記載の電子デバイス。
[Ｃ６]
前記マスキング信号を生成することが、前記環境信号に基づいて振幅と逆関係にある前記音信号の前記振幅を調節することを備える、Ｃ２に記載の電子デバイス。
[Ｃ７]
前記音信号が入力に基づいて選択される、Ｃ２に記載の電子デバイス。
[Ｃ８]
前記ボイス特徴が、振幅特性と、スペクトル特性と、空間特性と、時間特性とからなるグループから選択された１つを備える、Ｃ１に記載の電子デバイス。
[Ｃ９]
前記ボイス特徴がラウドネスエンベロープを備える、Ｃ１に記載の電子デバイス。
[Ｃ１０]
前記環境特徴が、振幅特性と、スペクトル特性と、空間特性と、時間特性とからなるグループから選択された１つを備える、Ｃ１に記載の電子デバイス。
[Ｃ１１]
前記環境特徴がラウドネス特性を備える、Ｃ１に記載の電子デバイス。
[Ｃ１２]
前記ボイス信号を取得することが、前記複数のオーディオ信号から前記環境信号を除去することを備える、Ｃ１に記載の電子デバイス。
[Ｃ１３]
前記ボイス信号を取得することが、エコーキャンセラを使用して前記複数のオーディオ信号から１つまたは複数のエコー信号を除去することを備える、Ｃ１に記載の電子デバイス。
[Ｃ１４]
前記複数の命令が、前記ボイス信号を送信するようにさらに実行可能である、Ｃ１に記載の電子デバイス。
[Ｃ１５]
前記マスキング信号を生成することが、前記ボイス特徴に基づいて前記ボイス信号を変調する振幅を備える、Ｃ１に記載の電子デバイス。
[Ｃ１６]
前記電子デバイスがワイヤレス通信デバイスである、Ｃ１に記載の電子デバイス。
[Ｃ１７]
複数のスピーカーをさらに備える、Ｃ１に記載の電子デバイス。
[Ｃ１８]
電子デバイス上でマスキング信号を生成するための方法であって、
複数のマイクロフォンから複数のオーディオ信号を取得することと、
前記複数のオーディオ信号から環境信号を取得することと、
前記環境信号に基づいて環境特徴を判断することと、
前記複数のオーディオ信号からボイス信号を取得することと、
前記ボイス信号に基づいてボイス特徴を判断することと、
前記ボイス特徴と前記環境特徴とに基づいてマスキング信号を生成することと、
スピーカーを使用して前記マスキング信号を出力することと
を備える、方法。
[Ｃ１９]
音信号を取得することをさらに備える、Ｃ１８に記載の方法。
[Ｃ２０]
前記マスキング信号を生成することが前記音信号にさらに基づく、Ｃ１９に記載の方法。
[Ｃ２１]
前記音信号が音楽を備える、Ｃ１９に記載の方法。
[Ｃ２２]
前記マスキング信号を生成することが、前記ボイス信号に基づいてエンベロープ信号と直接関係にある前記音信号の前記振幅を調節することを備える、Ｃ１９に記載の方法。
[Ｃ２３]
前記マスキング信号を生成することが、前記環境信号に基づいて振幅と逆関係にある前記音信号の前記振幅を調節することを備える、Ｃ１９に記載の方法。
[Ｃ２４]
前記音信号が入力に基づいて選択される、Ｃ１９に記載の方法。
[Ｃ２５]
前記ボイス特徴が、振幅特性と、スペクトル特性と、空間特性と、時間特性とからなるグループから選択された１つを備える、Ｃ１８に記載の方法。
[Ｃ２６]
前記ボイス特徴がラウドネスエンベロープを備える、Ｃ１８に記載の方法。
[Ｃ２７]
前記環境特徴が、振幅特性と、スペクトル特性と、空間特性と、時間特性とからなるグループから選択された１つを備える、Ｃ１８に記載の方法。
[Ｃ２８]
前記環境特徴がラウドネス特性を備える、Ｃ１８に記載の方法。
[Ｃ２９]
前記ボイス信号を取得することが、前記複数のオーディオ信号から前記環境信号を除去することを備える、Ｃ１８に記載の方法。
[Ｃ３０]
前記ボイス信号を取得することが、エコーキャンセラを使用して前記複数のオーディオ信号から１つまたは複数のエコー信号を除去することを備える、Ｃ１８に記載の方法。
[Ｃ３１]
前記複数の命令が、前記ボイス信号を送信するようにさらに実行可能である、Ｃ１８に記載の方法。
[Ｃ３２]
前記マスキング信号を生成することが、前記ボイス特徴に基づいて前記ボイス信号を変調する振幅を備える、Ｃ１８に記載の方法。
[Ｃ３３]
前記電子デバイスがワイヤレス通信デバイスである、Ｃ１８に記載の方法。
[Ｃ３４]
前記電子デバイスが複数のスピーカーを備える、Ｃ１８に記載の方法。
[Ｃ３５]
複数の命令をその上に有する非一時的有形コンピュータ可読媒体を備える、マスキング信号を生成するためのコンピュータプログラム製品であって、前記複数の命令が、
電子デバイスに、複数のマイクロフォンから複数のオーディオ信号を取得させるためのコードと、
前記電子デバイスに、前記複数のオーディオ信号から環境信号を取得させるためのコードと、
前記電子デバイスに、前記環境信号に基づいて環境特徴を判断させるためのコードと、
前記電子デバイスに、前記複数のオーディオ信号からボイス信号を取得させるためのコードと、
前記電子デバイスに、前記ボイス信号に基づいてボイス特徴を判断させるためのコードと、
前記電子デバイスに、前記ボイス特徴と前記環境特徴とに基づいてマスキング信号を生成させるためのコードと、
前記電子デバイスに、スピーカーを使用して前記マスキング信号を出力させるためのコードと
を備える、コンピュータプログラム製品。
[Ｃ３６]
前記複数の命令が、前記電子デバイスに、音信号を取得させるためのコードをさらに備える、Ｃ３５に記載のコンピュータプログラム製品。
[Ｃ３７]
前記マスキング信号を生成することが前記音信号にさらに基づく、Ｃ３６に記載のコンピュータプログラム製品。
[Ｃ３８]
前記マスキング信号を生成することが、前記ボイス信号に基づいてエンベロープ信号と直接関係にある前記音信号の前記振幅を調節することを備える、Ｃ３６に記載のコンピュータプログラム製品。
[Ｃ３９]
前記マスキング信号を生成することが、前記環境信号に基づいて振幅と逆関係にある前記音信号の前記振幅を調節することを備える、Ｃ３６に記載のコンピュータプログラム製品。
[Ｃ４０]
前記音信号が入力に基づいて選択される、Ｃ３６に記載のコンピュータプログラム製品。
[Ｃ４１]
前記ボイス信号を取得することが、エコーキャンセラを使用して前記複数のオーディオ信号から１つまたは複数のエコー信号を除去することを備える、Ｃ３５に記載のコンピュータプログラム製品。
[Ｃ４２]
マスキング信号を生成するための装置であって、
複数のマイクロフォンから複数のオーディオ信号を取得するための手段と、
前記複数のオーディオ信号から環境信号を取得するための手段と、
前記環境信号に基づいて環境特徴を判断するための手段と、
前記複数のオーディオ信号からボイス信号を取得するための手段と、
前記ボイス信号に基づいてボイス特徴を判断するための手段と、
前記ボイス特徴と前記環境特徴とに基づいてマスキング信号を生成するための手段と、
スピーカーを使用して前記マスキング信号を出力するための手段と
を備える、装置。
[Ｃ４３]
音信号を取得するための手段をさらに備える、Ｃ４２に記載の装置。
[Ｃ４４]
前記マスキング信号を生成することが前記音信号にさらに基づく、Ｃ４３に記載の装置。
[Ｃ４５]
前記マスキング信号を生成することが、前記ボイス信号に基づいてエンベロープ信号と直接関係にある前記音信号の前記振幅を調節することを備える、Ｃ４３に記載の装置。
[Ｃ４６]
前記マスキング信号を生成することが、前記環境信号に基づいて振幅と逆関係にある前記音信号の前記振幅を調節することを備える、Ｃ４３に記載の装置。
[Ｃ４７]
前記音信号が入力に基づいて選択される、Ｃ４３に記載の装置。
[Ｃ４８]
前記ボイス信号を取得することが、エコーキャンセラを使用して前記複数のオーディオ信号から１つまたは複数のエコー信号を除去することを備える、Ｃ４２に記載の装置。